(57)【特許請求の範囲】
【請求項１】
木造家屋の屋根パネル取り付け構造であって、互いに対面した一対の構造用合板と、この構造用合板を所定間隔を隔てて互いに一体に連結した支持材と、一対の構造用合板の間に設けられ上記一対の構造用合板の一方の裏面との間に所定間隔を空けて設けられた断熱材と、上記構造用合板の一方と断熱材との間に設けられ上記構造用合板の一方の端部から他方の端部まで連通した通気路と、上記構造用合板の一方の端面に長手方向に沿って形成された凸条部と、上記構造用合板の他方の端面に沿って形成され上記凸条部が嵌合可能な凹溝とを有した屋根パネルを備え、上記断熱材が貼り付けられた側の構造用合板には、施工状態で家屋の外壁材の裏側空間と連通する透孔が形成され、この透孔は上記断熱材の厚み方向に形成された透孔に連通し、この断熱材の透孔が上記通気路に連通し、上記屋根パネルの軒先に位置する上記支持材には建築物に取り付けられた状態で上記屋根パネルを建物躯体に固定するくら金具が取り付けられ、このくら金具の取付位置の上記構造用合板及び断熱材には貫通孔が形成され、互いに隣接する上記屋根パネルの支持材同士に跨って上記くら金具が上記貫通孔に嵌合し、互いに隣接する上記屋根パネルを一体的に建物躯体に固定し、上記凹溝にはシール材が設けられ上記凸条部が嵌合した状態で気密水密性を保持し、上記屋根パネルと上記建物躯体の水平部材が接する部分の間にも気密材が設けられ気密水密性を保持していることを特徴とする屋根パネル取り付け構造。
【発明の詳細な説明】
【０００１】
【発明の属する技術分野】
この発明は、木造家屋の屋根の下地材となる建築用屋根パネルと屋根パネル取り付け構造に関する。
【０００２】
【従来の技術】
従来、木造家屋の屋根部分の構造は、垂木の上面に屋根下地材である野地板を貼り付け、防水シート等を貼って、瓦桟を取り付けて瓦を載せたものであった。しかしながら、このような屋根構造は断熱機能がなく、エネルギー効率の悪いものであった。そこで、近年気密断熱性の高い住宅が提供され、そのような住宅の屋根構造として、特公平８−１０９４号公報に開示されているように、屋根下地をパネル構造とし、屋根パネル内に断熱材を配したものがある。この屋根パネルは、２枚の面材間に断熱材を配し、表面側の面材の長手方向に、一方の端部から他方の端部に向けて貫通する通気用通路が形成されたものである。これにより、屋根パネルの外側に結露が生ぜず、パネル材の腐食を抑えたものである。
【０００３】
【発明が解決しようとする課題】
しかしながら、上記従来の通気用通路を備えた屋根パネルの場合、通気用通路が極めて狭く、十分な通気性能が得られず、屋根パネルの継ぎ目の通気用通路の接続も難しいものである。さらに、通気用通路により、パネル間の接続部分の気密性も確保しにくいものであった。
【０００４】
この発明は、上記従来の技術の問題点に鑑みてなされたもので、施工が容易であり、施工精度及び強度が高く、気密性・断熱性の高い建築用屋根パネルと屋根パネル取り付け構造を提供することを目的とする。
【０００５】
【課題を解決するための手段】
この発明は、木造家屋の屋根パネル取り付け構造であって、互いに対面した一対の構造用合板と、この構造用合板を所定間隔を隔てて互いに一体に連結した支持材と、一対の構造用合板の間に設けられ上記一対の構造用合板の一方の裏面との間に所定間隔を空けて設けられた断熱材と、上記構造用合板の一方と断熱材との間に設けられ上記構造用合板の一方の端部から他方の端部まで連通した通気路と、上記構造用合板の一方の端面に長手方向に沿って形成された凸条部と、上記構造用合板の他方の端面に沿って形成され上記凸条部が嵌合可能な凹溝とを有した屋根パネルを備える。上記断熱材が貼り付けられた側の構造用合板には、施工状態で家屋の外壁材の裏側空間と連通する透孔が形成され、この透孔は上記断熱材の厚み方向に形成された透孔に連通し、この断熱材の透孔が上記通気路に連通し、上記支持材には建築物に取り付けられた状態で上記屋根パネルを建物躯体に固定するくら金具が取り付けられ、このくら金具の取付位置の上記構造用合板及び断熱材には貫通孔が形成され、互いに隣接する上記屋根パネルの支持材同士に跨って上記くら金具が上記貫通孔に嵌合し、互いに隣接する上記屋根パネルを一体的に建物躯体に固定し、上記凹溝にはシール材が設けられ上記凸条部が嵌合した状態で気密水密性を保持し、上記屋根パネルと上記建物躯体の水平部材が接する部分の間にも気密材が設けられ気密水密性を保持している。
【０００６】
またこの発明の屋根パネルは、上記通気路側の上記構造用合板と置き換えて、または積層して、太陽光発電パネルが一体に設けられていても良い。この貫通孔の屋外側には、上記くら金具が装着された後、テーピングして塞ぐようにしてもよい。
【０００７】
この発明の木造家屋の屋根パネルは、屋根パネルの外側に形成された通気路により、家屋の外壁から屋根下地部分を通過して棟上部に至る空気の流れが可能となり、屋根部分の焼け込みや結露を防止する。
【０００８】
【発明の実施の形態】
以下この発明の実施の形態について図面に基づいて説明する。この発明の一実施形態の木造家屋の屋根パネル１０は、図１〜図７に示すように、木造家屋の屋根部分の軸組となる軸部材である桁１１，母屋１２，棟木１３等に取り付け固定される。桁１１は柱１４間に掛けられ、母屋１２や棟木１３は、小屋裏の図示しない梁に設けられた小屋束１５に支持される。
【０００９】
この実施形態の屋根パネル１０は、互いに対面した一対の構造用合板２１，２２と、この構造用合板２１，２２を所定間隔隔てて互いに一体に連結する支持材２３を備える。支持材２３は、構造用合板２１，２２の長手方向両側縁部に各々配置され、他方の側縁部には設けられていない。また、構造用合板２１，２２の長手方向に沿って中央部には、支持材２３と等しい高さで構造用合板２１，２２を離間させる支持材２４が構造用合板２１，２２と一体に設けられている。
【００１０】
一対の構造用合板２１，２２の間には、一方の構造用合板２２の裏面に断熱材２６が固定されている。断熱材２６の厚さは、一対の構造用合板２１，２２の間隔よりも薄く、構造用合板２１と断熱材２６との間には、通気路２８が形成されている。通気路２８は、構造用合板２１，２２の一方の端部から他方の端部まで連通している。
【００１１】
構造用合板２１，２２の一方の端面とそれと直交する一方の端面には、長手方向に沿って凸条部３０が形成され、構造用合板２１，２２の他方の端面及びそれと直交する他方の端面には、長手方向に沿って形成され凸条部３０が嵌合可能な凹溝３２を備える。凹溝３２内には、樹脂またはゴム製のシール材３４が長手方向に沿って配置されている。
【００１２】
断熱材２６が貼り付けられた側の構造用合板２２には、図６に示すように、施工状態で家屋の外壁材４０の裏側空間と連通する透孔３６が形成され、この透孔３６は断熱材２６の厚み方向に形成された透孔３８に連通し、この断熱材２６の透孔３８は通気路２８に連通している。
【００１３】
また、屋根パネル１０の軒先に位置する支持材２３には、図３に示すように、互いに隣接する支持材２３に跨って、建築物に取り付けられた状態で屋根パネル１０を建物躯体の桁１１等に固定するくら金具４２が取り付けられている。くら金具４２の取付位置の構造用合板２１，２２及び断熱材２６には、厚み方向に貫通した貫通孔４４が形成されている。くら金具４２は、図７に示すように、コ字状に形成され、上面部には、支持材２３に固定するための透孔４５が形成され、コ字状の両端部は、長手方向の軸を中心として９０°捻られ、その捻られた部分の先端側にも、桁１１等の軸部材に固定するための透孔４６が形成されている。
【００１４】
屋根パネル１０の軒先には、軒先枠材４８が設けられ、断熱材２６及び通気路２８を隠している。なお、軒先枠材４８には、通気路２８を伝って流れてきた水滴を外へ逃がす透孔または凹溝が形成されていても良い。
【００１５】
この実施形態の木造家屋の屋根パネル取り付け構造は、屋根パネル１０を、軸組である桁１１，母屋１２，棟木１３等に載せて固定する。その際、屋根パネル１０の傾斜に沿って桁１１等との間に、かい木５２が挿入され固定される。さらに、かい木５２と屋根パネル１０の構造用合板２２との間には、長手方向に沿って気密材５０が挿入されている。同様に棟木１３には、棟かい木５４が載せられ、棟かい木５４と屋根パネルとの間にも気密材５０が長手方向に挿入されている。
【００１６】
屋根パネル１０は、一方の端部に断熱材２６を切除した凹部２６ａが設けられ、この凹部２６ａから釘５６をかい木５２、棟かい木５４に打ち込み、さらに母屋１２や棟木１３に打ち込んで固定される。凹部２６ａには、断熱材２６ｂを挿入して、断熱性を保持する。棟上部には、通気路２８に連通する棟換気部６０が設けられ、外気に連通している。
【００１７】
この実施形態の木造家屋の屋根パネルは、屋根パネル１０の外側に形成された通気路２８により、家屋の外壁材４０内側の空間から透孔３６，３８を介して、屋根パネル１０の通気路２８に連通し、棟上部の棟換気部６０に至る空気の流れが可能となり、屋根部分の焼け込みや屋根パネル１０の結露を防止する。また、屋根パネル１０同士の連結部分は、凸条部３０と凹溝３２が嵌合し、さらにシール材３４が介在するので、気密性・断熱性が高いものである。また、屋根パネル１０とかい木５２，５４との間にも気密材５０が介在するので、より高い気密性能を保持することができる。
【００１８】
また、屋根パネル１０は、くら金具４２により桁１１に確実に固定され、台風等の強風にも耐え得る高い強度を備える。さらに、軒先に張り出した部分の屋根パネル１０内にも断熱材が連続して配置されているので、軒先部分の曲げ加重に対しても高い強度を有する。貫通孔４４の屋外側には、くら金具４２が装着された後、気密水密用のテーピングを施して塞ぐようにしてもよい。
【００１９】
なお、この発明の屋根パネルは上記実施形態に限定されるものではなく、屋根パネルは、上記通気路側の構造用合板と置き換えて太陽発電パネルを一体に設けても良い。これにより、通気路は太陽光発電パネルの冷却にも寄与する。また太陽光発電パネルを、この屋根パネルに積層して一体に設けられていても良い。さらに、太陽熱を給湯等に利用する太陽熱パネルをこの発明の屋根パネルと一体に設けてもよい。
【００２０】
上記断熱材の上記通気路に面した表面には、金属箔や金属蒸着フィルム等の熱反射材が設けられているものでも良い。これにより、さらに断熱性能が向上し、屋根パネル部分の焼け込みを防止する。またこの屋根パネルの屋外側に位置する構造用合板に防水シートを予め設け、この防水シートは、その周縁部が屋根パネルからはみ出した状態とし、隣接する屋根パネル同士の防水シートは互いに上下に重ねて張り合わせるようにしてもよい。これにより確実に防水性能を確保することができる。
【００２１】
【発明の効果】
この発明の屋根パネル取り付け構造は、屋根下地材の取り付けを容易にし、気密性断熱性の高い屋根構造を容易に形成することができるものである。また、強度も高いものとすることができ、強風の吹く地方や豪雪地帯においても、高い耐風圧、耐雪性能を備えることができる。また、屋根パネルの構造用合板同士が凹凸により一体に嵌合して連結されているので、互いに一体化して強度が高いものである。
【図面の簡単な説明】
【図１】  この発明の一実施形態の建築用屋根パネルの取り付け構造の縦断面図である。
【図２】  この発明の一実施形態の建築用屋根パネルの取り付け構造の縦断面図である。
【図３】  この発明の一実施形態の建築用屋根パネルの取り付け構造の縦断面図である。
【図４】  この発明の一実施形態の建築用屋根パネルの他の縦断面図である。
【図５】  この発明の一実施形態の屋根パネルの平面図である。
【図６】  この発明の一実施形態の屋根パネルの正面図である。
【図７】  この発明の一実施形態のくら金具の斜視図である。
【符号の説明】
１０    屋根パネル
１１    桁
２１，２２    構造用合板
２３，２４    支持材
２６    断熱材
２８    通気路
３０    凸条部
３２    凹溝
３４    シール材
３６，３８    透孔
４０    外壁材
５０    気密材
【図１】
0003911550.tif 000002
【図２】
0003911550.tif 000003
【図３】
0003911550.tif 000004
【図４】
0003911550.tif 000005
【図５】
0003911550.tif 000006
【図６】
0003911550.tif 000007
【図７】
0003911550.tif 000008